(57)【要約】【課題】乾電池の浪費を押さえることができる電源装置を提供する。【解決手段】一次電池または二次電池から構成される電源１と、昇圧ＤＣ／ＤＣコンバータ４と、降圧ＤＣ／ＤＣ５コンバータと、電源１の電池電圧を測定する測定手段とを備える。測定手段により測定された電池電圧情報を元に電池の内部抵抗を判別する判別手段により電池の内部抵抗が閾値以上と判別された場合に、昇圧ＤＣ／ＤＣコンバータ４を選択する。また、判別手段により電池の内部抵抗が閾値未満と判別された場合に、降圧ＤＣ／ＤＣコンバータ５を選択する。各手段は、マイコン２がその機能を有する。【選択図】図１
2010041857.tif 000002
【特許請求の範囲】
【請求項１】
一次電池または二次電池から構成される電源と、
昇圧ＤＣ／ＤＣコンバータと、
前記昇圧ＤＣ／ＤＣコンバータの後段に配置され、前記昇圧ＤＣ／ＤＣコンバータの出力が入力される降圧ＤＣ／ＤＣコンバータと、
前記電源の電池電圧を測定する測定手段と、
前記測定手段により測定された電池電圧情報を元に前記電池の内部抵抗を判別する判別手段と、
前記判別手段により前記電池の内部抵抗が閾値以上と判別された場合には、前記電源の出力を前記昇圧ＤＣ／ＤＣコンバータに入力し、前記判別手段により前記電池の内部抵抗が閾値未満と判別された場合には、前記電源の出力を前記降圧ＤＣ／ＤＣコンバータに入力するように切り替えるスイッチ手段と、
を備えることを特徴とする電源装置。
【請求項２】
一次電池または二次電池から構成される電源と、
昇圧ＤＣ／ＤＣコンバータと、
前記昇圧ＤＣ／ＤＣコンバータの後段に配置され、前記昇圧ＤＣ／ＤＣコンバータの出力が入力される降圧ＤＣ／ＤＣコンバータと、
前記電源に備えられるＩＣタグを読み込む読み込み手段と、
前記読み込み手段により読み込まれたＩＣタグ情報を元に電池種別を判別する第１の判別手段と、
前記第１の判別手段により判別された電池種別情報を元に前記電池の内部抵抗を判別する第２の判別手段と、
前記第２の判別手段により前記電池の内部抵抗が閾値以上と判別された場合には、前記電源の出力を前記昇圧ＤＣ／ＤＣコンバータに入力し、前記第２の判別手段により前記電池の内部抵抗が閾値未満と判別された場合には、前記電源の出力を前記降圧ＤＣ／ＤＣコンバータに入力するように切り替えるスイッチ手段と、
を備えることを特徴とする電源装置。
【請求項３】
請求項１または２記載の電源装置を備える撮像装置。
【発明の詳細な説明】
【技術分野】
【０００１】
本発明は、電源装置及びその電源装置を備える撮像装置に関する。
【背景技術】
【０００２】
従来のデジタルビデオカムコーダ（撮像装置）において、乾電池と二次電池を併用した電源装置を備える場合、乾電池では、大きな電流を引き出そうとすると、内部抵抗のため電圧がドロップし、降圧ＤＣ／ＤＣの目標電圧を下回ってしまう場合があった。
【０００３】
そのため、乾電池の残量がまだあるにも関わらず電池切れの警告が出ることにより、ユーザーは乾電池を浪費させられていた。
【０００４】
乾電池と二次電池を併用した電源装置として、特許文献１記載の技術がある。
【特許文献１】特開平５−０８９６５８号公報
【発明の開示】
【発明が解決しようとする課題】
【０００５】
上述したように、従来技術では、乾電池で大きな電流を引き出そうとすると、内部抵抗のため電圧がドロップし、乾電池の残量がまだあるにも関わらず電池切れとなり、乾電池を浪費させられるという課題があった。
【０００６】
本発明の目的は、乾電池の浪費を押さえることができる電源装置及び撮像装置を提供することにある。
【課題を解決するための手段】
【０００７】
上記目的を達成するために、本発明の電源装置は、一次電池または二次電池から構成される電源と、昇圧ＤＣ／ＤＣコンバータと、前記昇圧ＤＣ／ＤＣコンバータの後段に配置され、前記昇圧ＤＣ／ＤＣコンバータの出力が入力される降圧ＤＣ／ＤＣコンバータと、前記電源の電池電圧を測定する測定手段と、前記測定手段により測定された電池電圧情報を元に前記電池の内部抵抗を判別する判別手段と、前記判別手段により前記電池の内部抵抗が閾値以上と判別された場合には、前記電源の出力を前記昇圧ＤＣ／ＤＣコンバータに入力し、前記判別手段により前記電池の内部抵抗が閾値未満と判別された場合には、前記電源の出力を前記降圧ＤＣ／ＤＣコンバータに入力するように切り替えるスイッチ手段と、を備えることを特徴とする。
【０００８】
本発明の電源装置は、一次電池または二次電池から構成される電源と、昇圧ＤＣ／ＤＣコンバータと、前記昇圧ＤＣ／ＤＣコンバータの後段に配置され、前記昇圧ＤＣ／ＤＣコンバータの出力が入力される降圧ＤＣ／ＤＣコンバータと、前記電源に備えられるＩＣタグを読み込む読み込み手段と、前記読み込み手段により読み込まれたＩＣタグ情報を元に電池種別を判別する第１の判別手段と、前記第１の判別手段により判別された電池種別情報を元に前記電池の内部抵抗を判別する第２の判別手段と、前記第２の判別手段により前記電池の内部抵抗が閾値以上と判別された場合には、前記電源の出力を前記昇圧ＤＣ／ＤＣコンバータに入力し、前記第２の判別手段により前記電池の内部抵抗が閾値未満と判別された場合には、前記電源の出力を前記降圧ＤＣ／ＤＣコンバータに入力するように切り替えるスイッチ手段と、を備えることを特徴とする。
【発明の効果】
【０００９】
本発明の電源装置によれば、乾電池の浪費を押さえることができる。
【発明を実施するための最良の形態】
【００１０】
以下、本発明の実施の形態を図面を参照しながら詳細に説明する。
【００１１】
図１は、本発明の第１の実施の形態に係る電源装置のブロック図である。
【００１２】
図１において、本電源装置は、撮像装置に備えられている。電源１は、乾電池（一次電池）または二次電池から構成され、電力を供給する。マイコン２は、電源１の電圧を測定して電源選択スイッチ３を切り替える。
【００１３】
電源選択スイッチ３は、電源１からの電力を昇圧ＤＣ／ＤＣコンバータ４へ通すか、降圧ＤＣ／ＤＣコンバータ５に通すかを、マイコン２の指示によって選択する。
【００１４】
昇圧ＤＣ／ＤＣコンバータ４は、電源選択スイッチ３によって選択されている場合に、電源１からの電力を昇圧して降圧ＤＣ／ＤＣコンバータ５へ供給する。
【００１５】
昇圧ＤＣ／ＤＣコンバータ４の後段に配置され、昇圧ＤＣ／ＤＣコンバータ４の出力が入力される降圧ＤＣ／ＤＣコンバータ５は、電源１からの電力または昇圧ＤＣ／ＤＣコンバータ４からの昇圧された電力を受け、電圧を降圧し電気回路負荷６へ電力を供給する。
【００１６】
電気回路負荷６は、電力を消費する電気回路やモータ等の電気製品を構成する回路である。
【００１７】
図２は、図１の電源装置によって実行される電源（電池）の電圧測定処理の手順を示すフローチャートである。
【００１８】
本処理は、図１におけるマイコン２の制御の下に実行される。
【００１９】
図２において、ステップＳ２１で、電源スイッチ（図示せず）が入れられた場合に、ステップＳ２２の電池電圧測定処理において、マイコン２が電源（電池）１の電圧を測定する。
【００２０】
ステップＳ２３で、電源１が乾電池でも二次電池でも問題が無いように、マイコン２の指示により、電源選択スイッチ３は、昇圧ＤＣ／ＤＣコンバータ４を予め選択しておく。
【００２１】
ステップＳ２４のマイコン周辺回路の起動処理において、マイコン２及びマイコン周辺回路を起動させて、ある程度の電力を電源１から引き出して、電圧降下を測定する準備を行う。
【００２２】
そして、ステップＳ２５で、マイコン２が電源１の電圧を測定し、ステップＳ２２で測定した電圧との差分を計算することにより、電源１の電圧降下量を計算することが可能になる。
【００２３】
ステップＳ２５は、電源１の電池電圧を測定する測定手段として機能する。
【００２４】
ステップＳ２６の電圧降下量と閾値の比較判別においては、ステップＳ２５にて計算された電圧降下量と、予めマイコン２が記録している閾値とを比較してステップＳ２７へ行くかステップＳ２８へ行くか判別する。
【００２５】
ステップＳ２６は、測定手段により測定された電池電圧情報を元に電池の内部抵抗を判別する判別手段として機能する。
【００２６】
ステップＳ２６で判別された電圧降下量が閾値以上の場合は、電池の内部抵抗が高いと判別し、ステップＳ２７へ分岐する。ステップＳ２６で判別された電圧降下量が閾値未満の場合は、電池の内部抵抗が低いと判別し、ステップＳ２８へ分岐する。
【００２７】
ステップＳ２７では、マイコン２の指示により、電源選択スイッチ３は、昇圧ＤＣ／ＤＣコンバータ４を選択する。
【００２８】
ステップＳ２８では、マイコン２の指示により、電源選択スイッチ３は、降圧ＤＣ／ＤＣコンバータ５を選択する。
【００２９】
ステップＳ２９のマイコン以外の起動処理においては、マイコン２以外の全ての回路が起動し、通常の撮像装置の動作が可能となる。そして、本処理を終了する。
【００３０】
以上の構成を採用することにより、電池の内部抵抗を判別して、乾電池を無駄なく使い切ることが可能となる。
【００３１】
図３は、本発明の第２の実施の形態に係る電源装置のブロック図である。
【００３２】
図３において、本電源装置は、撮像装置に備えられている。電源１は、乾電池または二次電池から構成され、電力を供給する。マイコン２は、電源１の電圧を測定して電源選択スイッチ３を切り替える。
【００３３】
電源選択スイッチ３は、電源１からの電力を昇圧ＤＣ／ＤＣコンバータ４へ通すか、降圧ＤＣ／ＤＣコンバータ５に通すかを、マイコン２の指示によって選択する。
【００３４】
昇圧ＤＣ／ＤＣコンバータ４は、電源選択スイッチ３によって選択されている場合に、電源１からの電力を昇圧して降圧ＤＣ／ＤＣコンバータ５へ供給する。
【００３５】
降圧ＤＣ／ＤＣコンバータ５は、電源１からの電力または昇圧ＤＣ／ＤＣコンバータ４からの昇圧された電力を受けて、電圧を降圧して電気回路負荷６へ電力を供給する。
【００３６】
電気回路負荷６は、電力を消費する電気回路やモータ等の電気製品を構成する回路である。
【００３７】
電源１はＩＣタグ３１を備える。ＩＣタグ３１には、電源１がどのような電池であるかの情報が書き込まれている。
【００３８】
マイコン２には、ＩＣタグ読み取り装置３２が接続される。ＩＣタグ３１の情報をＩＣタグ読み取り装置３２によって読み取る。
【００３９】
図４は、図３の電源装置によって実行される電源（電池）の電圧測定処理の手順を示すフローチャートである。
【００４０】
本処理は、図３におけるマイコン２の制御の下に実行される。
【００４１】
図４において、ステップＳ４１で、電源スイッチ（図示せず）が入れられた場合に、ステップＳ４２で、電源１が乾電池でも二次電池でも問題が無いように、マイコン２の指示により、電源選択スイッチ３は、昇圧ＤＣ／ＤＣコンバータ４を予め選択しておく。
【００４２】
ステップＳ４３のマイコン周辺回路の起動処理において、マイコン２及びマイコン周辺回路を起動させる。
【００４３】
ステップＳ４４のＩＣタグデータ読み込み処理において、マイコン２は、ＩＣタグ３１の情報をＩＣタグ読み取り装置３２によって読み込む。
【００４４】
ステップＳ４４は、電源１に備えられるＩＣタグ３１を読み込む読み込み手段として機能する。
【００４５】
そして、ステップＳ４５において、マイコン２は、読み取ったＩＣタグ情報より電池種別を判別する。
【００４６】
ステップＳ４５は、読み込み手段により読み込まれたＩＣタグ情報を元に電池種別を判別する第１の判別手段として機能する。
【００４７】
ステップＳ４６の電池種別による内部抵抗の比較判別処理において、ステップＳ４５において判別された内部抵抗と予めマイコン２が記録している閾値とを比較して、ステップＳ４７へ行くか、ステップＳ４８へ行くか判別する。
【００４８】
ステップＳ４６は、第１の判別手段により判別された電池種別情報を元に電池の内部抵抗を判別する第２の判別手段として機能する。
【００４９】
ステップＳ４６で判別された内部抵抗が閾値以上の場合は、ステップＳ４７へ分岐する。ステップＳ４６で判別された内部抵抗が閾値未満の場合は、ステップＳ４８へ分岐する。
【００５０】
ステップＳ４７では、マイコン２の指示により、電源選択スイッチ３は、昇圧ＤＣ／ＤＣコンバータ４を選択する。
【００５１】
ステップＳ４８では、マイコン２の指示により、電源選択スイッチ３は、降圧ＤＣ／ＤＣコンバータ５を選択する。
【００５２】
ステップＳ４９のマイコン以外の起動処理においては、マイコン２以外の全ての回路が起動し、通常の撮像装置の動作が可能となる。そして、本処理を終了する。
【００５３】
以上の構成を採用することにより、電池の種別を判別して、乾電池を無駄なく使い切ることが可能となる。
【図面の簡単な説明】
【００５４】
【図１】本発明の第１の実施の形態に係る電源装置のブロック図である。
【図２】図１の電源装置によって実行される電源（電池）の電圧測定処理の手順を示すフローチャートである。
【図３】本発明の第２の実施の形態に係る電源装置のブロック図である。
【図４】図３の電源装置によって実行される電源（電池）の電圧測定処理の手順を示すフローチャートである。
【符号の説明】
【００５５】
１  電源
２  マイコン
３  電源選択スイッチ
４  昇圧ＤＣ／ＤＣコンバータ
５  降圧ＤＣ／ＤＣコンバータ
６  電気回路負荷
３１  ＩＣタグ
３２  ＩＣタグ読み取り装置
【図１】
2010041857.tif 000003
【図２】
2010041857.tif 000004
【図３】
2010041857.tif 000005
【図４】
2010041857.tif 000006